(57)【特許請求の範囲】
【請求項１】
孔部を有する外装部材と、
略Ｕ字形状を有し、その一方の端部が上記外装部材の内側に固定され、他方の端部がその対向する上記外装部材の外側の面と共に物体を挟持する挟持部を構成し、その曲部が上記孔部を通して上記外装部材の内側に向けて移動可能に構成された弾性部材と、
を具備し、
上記弾性部材の上記曲部の上記外装部材の内側へ向けた移動に伴って、上記弾性部材の上記他方の端部が上記曲部の移動方向とは反対方向へ向かって移動することを特徴とするクリップ機構。
【請求項２】
上記弾性部材は、上記曲部が上記外装部材の内側に向けて押圧されたとき、上記曲部が上記外装部材内側に向けて移動すると共に、上記挟持部を構成する上記弾性部材の上記他方の端部と上記外装部材の面との間隔が広がるように構成されていることを特徴とする請求項１に記載のクリップ機構。
【発明の詳細な説明】
【０００１】
【発明の属する技術分野】
本発明は、ＩＣレコーダ等の小型軽量の携帯機器に用いて好適なクリップ機構に関する。
【０００２】
【従来の技術】
ＩＣレコーダ等の小型軽量の携帯機器においては、当該携帯機器を例えば上着の胸ポケットなどに留めるためのクリップを備えているものがある。そして、このようなクリップ機構においては、クリップを片手だけで操作して、当該携帯機器を留めることができるように構成されたものがある。図３は、そのような従来のクリップ機構の一例を示す図である。
【０００３】
図３の（Ａ）において、クリップ５は、携帯機器の本体１にクリップ付け根部５ｂで回動するように取り付けられ、そして、クリップ先端部５ｃが本体４に当接する方向に不図示のバネ等で付勢されている。この状態において、図中矢印で示した方向に押部５ａを押圧すると、図３の（Ｂ）に示されるように、クリップ付け根部５ｂを中心としてクリップ５全体が時計方向に回転し、クリップ先端部５ｃと本体４との間隔が開いて上述したように上着の胸ポケット等に留められるようになる。この操作は、本体４を把持した状態で、例えば親指あるいは人差し指等で押部５ａを操作することができるので、片手で行うことができる。
【０００４】
【発明が解決しようとする課題】
しかしながら、このようなクリップ機構では、クリップ本体の他に、クリップ本体を回動させたり付勢したりするために軸、バネ、ワッシャー等の部品が必要になり、これら部品自体のコストに加えて、組み立ても煩雑となり組み立てコストも増大してしまい、携帯機器全体の低価格化の妨げとなっていた。
【０００５】
本発明は、上記の点に鑑みてなされたもので、片手で操作できる低コストのクリップ機構を提供することを目的とする。
【０００６】
【課題を解決するための手段】
上記の目的を達成するために、本発明によるクリップ機構は、
孔部を有する外装部材と、
略Ｕ字形状を有し、その一方の端部が上記外装部材の内側に固定され、他方の端部がその対向する上記外装部材の外側の面と共に物体を挟持する挟持部を構成し、その曲部が上記孔部を通して上記外装部材の内側に向けて移動可能に構成された弾性部材と、
を具備し、
上記弾性部材の上記曲部の上記外装部材の内側へ向けた移動に伴って、上記弾性部材の上記他方の端部が上記曲部の移動方向とは反対方向へ向かって移動することを特徴とする。
【０００７】
即ち、本発明のクリップ機構によれば、クリップ本体としての弾性部材を略Ｕ字形状とし、該弾性部材の一方の端部を外装部材の内側に固定し、他方の端部をその対向する上記外装部材の外側の面と共に物体を挟持する挟持部を構成するものとし、その曲部を上記外装部材の孔部を通して上記外装部材の内側に向けて移動可能に構成している。そして、上記弾性部材の上記曲部を上記外装部材の内側へ向けて移動させると、それに伴って、上記弾性部材の上記他方の端部が上記曲部の移動方向とは反対方向へ向かって移動する。
【０００８】
従って、挟持部を開く操作を片手で実行でき、また、部品点数の少ない、組み立て性も容易なクリップ機構を提供できる。
【０００９】
なお、上記弾性部材は、上記曲部が上記外装部材の内側に向けて押圧されたとき、上記曲部が上記外装部材内側に向けて移動すると共に、上記挟持部を構成する上記弾性部材の上記他方の端部と上記外装部材の面との間隔が広がるように構成されていることが好ましい。
【００１０】
これにより、片手だけでクリップ先端部を開き、外装部材つまり携帯機器を胸ポケット等に留めることができるようになる。
【００１１】
【発明の実施の形態】
以下、本発明の実施の形態を図面を参照して説明する。
【００１２】
［第１の実施の形態］
図１の（Ａ）は、本発明の第１の実施の形態に係るクリップ機構の適用された携帯機器としてのＩＣレコーダの外観斜視図である。
【００１３】
このＩＣレコーダは、金属や樹脂などの弾性部材を用いたクリップ１が、そのケース２の一側面に取り付けられている。なお、ケース２は、上ケース２１と下ケース２２とから構成されている。
【００１４】
図１の（Ｂ）は、第１の実施の形態に係るクリップ機構の構成を示す断面図であり、図１の（Ｃ）は、クリップ根元部が押されたときの状態を示す断面図である。
【００１５】
上記上ケース２１及び上記下ケース２２にはそれぞれ対応する位置に切り欠きが設けられており、それら上ケース２１と下ケース２２とが結合されたときに、それら両切り欠きにより、孔部３が構成されるようになっている。
【００１６】
そして、この孔部３に、略Ｕ字形状を有する上記クリップ１が通され、支持されている。
【００１７】
即ち、ケース２の内側には、一体成型された支持部２ａ，２ｂ，２ｃが設けられており、これら支持部２ａと２ｂによって上記略Ｕ字形状のクリップ１の一方の端部１ａを挟持すると共に、上記支持部２ｃにより上記クリップ１の曲部であるクリップ根元部１ｂの該ケース２外方への移動を規制している。また、上記クリップ１のもう一方の端部であるクリップ先端部１ｃは、その対向する上記ケース２の外側の面（当て付け部２ｄ）と共に物体を挟持する挟持部を構成している。
【００１８】
従って、このような構成によれば、上記クリップ根元部１ｂが上記孔部３を通して上記ケース２の内側に向けて移動可能に構成されることとなる。
【００１９】
よって、図１の（Ａ）及び（Ｃ）中に矢印で示すように、上記クリップ根元部１ｂが上記ケース２の内側に向けて押圧されたとき、上記クリップ根元部１ｂが上記ケース２内側に向けて移動すると共に、上記挟持部を構成する上記クリップ先端部１ｃと上記ケース２の当て付け部２ｄ面との間隔が広がる。
【００２０】
即ち、クリップ根元部１ｂを押すと、クリップ自体がたわんで、クリップ先端部１ｃ部が開く構造になっている。
【００２１】
以上のように、本第１の実施の形態によれば、部品点数の少ない、組み立て性も容易な、片手で操作できるクリップ機構を提供することが可能となる。
【００２２】
なお、上記ケース２においては、上記支持部２ｃを肉薄に形成することで、外側に逃げ部２ｅを構成しているが、クリップ根元部１ｂが押された時に十分にストロークが確保できるのであれば、この逃げ部２ｅは特に設けなくても構わない（次の第２の実施の形態においても同様）。
【００２３】
［第２の実施の形態］
次に、本発明の第２の実施の形態を説明する。
【００２４】
図２の（Ａ）は本発明の第２の実施の形態に係るクリップ機構の構成を示す断面図であり、図２の（Ｂ）はクリップ根元部が押されたときの状態を示す断面図である。
【００２５】
本第２の実施の形態においては、ケース２の内側には、固定部２ｆが設けられており、上記固定部２ｆによって上記略Ｕ字形状のクリップ１の一方の端部１ａを固定する。また、上記クリップ１のもう一方の端部であるクリップ先端部１ｃは、その対向する上記ケース２の外側の面（当て付け部２ｄ）と共に物体を挟持する挟持部を構成している。
【００２６】
このような構成によっても、上記第１の実施の形態と同様に、上記クリップ根元部１ｂが上記孔部３を通して上記ケース２の内側に向けて移動可能に構成されることとなる。
【００２７】
よって、図２の（Ｂ）中に矢印で示すように、上記クリップ根元部１ｂが上記ケース２の内側に向けて押圧されたとき、上記クリップ根元部１ｂが上記ケース２内側に向けて移動すると共に、上記挟持部を構成する上記クリップ先端部１ｃと上記ケース２の当て付け部２ｄ面との間隔が広がる。
【００２８】
即ち、クリップ根元部１ｂを押すと、クリップ自体がたわんで、クリップ先端部１ｃ部が開く構造になっている。
【００２９】
以上のように、本第２の実施の形態によっても、上記第１の実施の形態と同様に、部品点数の少ない、組み立て性も容易な、片手で操作できるクリップ機構を提供することが可能となる。
【００３０】
なお、以上実施の形態に基づいて本発明を説明したが、本発明は上述した実施の形態に限定されるものではなく、本発明の要旨の範囲内で種々の変形や応用が可能なことは勿論である。
【００３１】
【発明の効果】
以上詳述したように、本発明によれば、片手で操作できる低コストのクリップ機構を提供することができる。
【図面の簡単な説明】
【図１】（Ａ）は本発明の第１の実施の形態に係るクリップ機構の適用されたＩＣレコーダの外観斜視図、（Ｂ）は第１の実施の形態に係るクリップ機構の構成を示す断面図であり、（Ｃ）はクリップ根元部が押されたときの状態を示す断面図である。
【図２】（Ａ）は本発明の第２の実施の形態に係るクリップ機構の構成を示す断面図であり、（Ｂ）はクリップ根元部が押されたときの状態を示す断面図である。
【図３】従来のクリップ機構の一例を示す図であり、（Ａ）は押部が押圧されていないときの状態を、（Ｂ）は押部が押圧されたときの状態をそれぞれ示している。
【符号の説明】
１      クリップ
１ａ      端部
１ｂ      クリップ根元部
１ｃ      クリップ先端部
２      ケース
２１      上ケース
２２      下ケース
２ａ，２ｂ，２ｃ      支持部
２ｄ      当て付け部
２ｅ      逃げ部
２ｆ      固定部
３      孔部
【図１】
0004147046.tif 000002
【図２】
0004147046.tif 000003
【図３】
0004147046.tif 000004